(57)【要約】【課題】圧縮機の騒音を低減する。【解決手段】圧縮機１は、底が閉塞された略筒状のケーシング２を備えており、このケーシング２の底部２ａには、ケーシング２の外側から見て凹状の凹部３が形成されている。凹部３は、ケーシング２の中心軸Ｃに近付くほど深さが深くなっているため、凹部３から出た音波は、ケーシング２の中心軸Ｃに近付く方向に進む。そのため、底部２ａから出た音波が、底板１００と底部２ａとの間で反射を繰り返した後、底板１００と底部２ａとの間の空間から出て行くのを抑制でき、底板１００と底部２ａとの間で繰り返し反射させて減衰させることができる。【選択図】図１
2014102018.tif 000002
【特許請求の範囲】
【請求項１】
底が閉塞された略筒状のケーシングを備えており、
前記ケーシングの底部の少なくとも一部に、前記ケーシングの外側から見て凹状の凹部が形成されていることを特徴とする圧縮機。
【請求項２】
前記凹部は、前記ケーシングの中心軸に近付くほど深さが深くなる部分を有することを特徴とする請求項１に記載の圧縮機。
【請求項３】
前記凹部が、前記底部の中央部に形成されていることを特徴とする請求項２に記載の圧縮機。
【請求項４】
前記凹部が、前記底部全体に形成されていることを特徴とする請求項２に記載の圧縮機。
【請求項５】
前記凹部が、前記ケーシングの中心軸周りに環状に形成された環状凹部であることを特徴とする請求項２に記載の圧縮機。
【請求項６】
前記底部に、少なくとも１つの前記環状凹部を含む複数の前記凹部が形成されており、
前記環状凹部の内側に、前記底部の中央部に形成された前記凹部、又は、別の前記環状凹部が配置されていることを特徴とする請求項５に記載の圧縮機。
【請求項７】
前記凹部の少なくとも一部が、曲線で構成されていることを特徴とする請求項２〜６のいずれかに記載の圧縮機。
【発明の詳細な説明】
【技術分野】
【０００１】
本発明は、底部が床から離して配置される圧縮機に関する。
【背景技術】
【０００２】
従来から、例えば空気調和機の室外機などに備えられる圧縮機は、圧縮機の振動が室外機ケーシングに伝わるのを防止するために、ゴム部材を介して室外機ケーシングの底板に設置されている（特許文献１参照）。そのため、圧縮機の底部は、底板から離れて配置されている。また、圧縮機のケーシングの形状は、耐圧性を高めるために、円筒状であって、その両端部が外側に膨らんだ円弧状となっている。
【先行技術文献】
【特許文献】
【０００３】
【特許文献１】特許第３３８２７８２号
【発明の概要】
【発明が解決しようとする課題】
【０００４】
圧縮機の底部の形状が外側に膨らんだ円弧状であるため、圧縮機の底部から出た圧縮機の運転音は、圧縮機の中心軸から離れる方向に進む。そのため、圧縮機の底部から出た音は、室外機ケーシングの底板と圧縮機の底部との間で反射を繰り返した後、底板と圧縮機の底部との間の空間から出て行ってしまう。その結果、騒音が大きいという問題が生じる。
【０００５】
そこで、本発明は、騒音を低減できる圧縮機を提供することを目的とする。
【課題を解決するための手段】
【０００６】
第１の発明に係る圧縮機は、底が閉塞された略筒状のケーシングを備えており、前記ケーシングの底部の少なくとも一部に、前記ケーシングの外側から見て凹状の凹部が形成されていることを特徴とする。
【０００７】
この圧縮機では、ケーシングの底部の少なくとも一部が凹状であるため、この凹部の少なくとも一部から出た圧縮機の運転音は、ケーシングの中心軸に近付く方向に進む。そのため、ケーシングの底部から出た音波が、床とケーシングの底部との間で反射を繰り返した後、床とケーシングの底部との間の空間から出て行くのを抑制できる。したがって、ケーシングの底部から出た音波を、床とケーシングの底部との間で繰り返し反射させて減衰させることができ、圧縮機による騒音を低減できる。
【０００８】
第２の発明に係る圧縮機は、第１の発明において、前記凹部は、前記ケーシングの中心軸に近付くほど深さが深くなる部分を有することを特徴とする。
【０００９】
この圧縮機では、凹部において、ケーシングの中心軸に近付くほど深さが深くなる部分から出た音波は、ケーシングの中心軸に近付く方向に進む。そのため、底部から出た音が、床とケーシングの底部との間の空間から出て行くのを抑制できる。
【００１０】
第３の発明に係る圧縮機は、第２の発明において、前記凹部が、前記底部の中央部に形成されていることを特徴とする。
【００１１】
この圧縮機では、底部の中央部に凹部が形成されているため、凹部は、ケーシングの中心軸から離れるほど深さが深くなる部分を有しない。そのため、底部から出た音が、床とケーシングの底部との間の空間から出て行くのをより確実に抑制できる。
【００１２】
第４の発明に係る圧縮機は、第２の発明において、前記凹部が、前記底部全体に形成されていることを特徴とする。
【００１３】
この圧縮機では、底部全体に凹部が形成されているため、凹部は、ケーシングの中心軸から離れるほど深さが深くなる部分を有しない。そのため、底部から出た音が、床とケーシングの底部との間の空間から出て行くのをより確実に抑制できる。
【００１４】
第５の発明に係る圧縮機は、第２の発明において、前記凹部が、前記ケーシングの中心軸周りに環状に形成された環状凹部であることを特徴とする。
【００１５】
この圧縮機では、凹部が環状であるため、この環状凹部の外径と同じ大きさの円形状の凹部を設ける場合に比べて、ケーシングの容積を大きくできる。
【００１６】
第６の発明に係る圧縮機は、第５の発明において、前記底部に、少なくとも１つの前記環状凹部を含む複数の前記凹部が形成されており、前記環状凹部の内側に、前記底部の中央部に形成された前記凹部、又は、別の前記環状凹部が配置されていることを特徴とする。
【００１７】
この圧縮機では、最も外側の環状凹部の外径と同じ大きさの円形状の凹部を設ける場合に比べて、ケーシングの容積を大きくできる。
【００１８】
第７の発明に係る圧縮機は、第２〜第６の発明のいずれかにおいて、前記凹部の少なくとも一部が、曲線で構成されていることを特徴とする。
【００１９】
この圧縮機では、凹部の少なくとも一部が曲線で構成されるため、同じ大きさの凹部を直線だけで形成する場合に比べて、ケーシングの部材量を低減できる。
【発明の効果】
【００２０】
以上の説明に述べたように、本発明によれば、以下の効果が得られる。
【００２１】
第１の発明では、ケーシングの底部の少なくとも一部が凹状であるため、この凹部の少なくとも一部から出た圧縮機の運転音は、ケーシングの中心軸に近付く方向に進む。そのため、ケーシングの底部から出た音波が、床とケーシングの底部との間で反射を繰り返した後、床とケーシングの底部との間の空間から出て行くのを抑制できる。したがって、ケーシングの底部から出た音波を、床とケーシングの底部との間で繰り返し反射させて減衰させることができ、圧縮機による騒音を低減できる。
【００２２】
第２の発明では、凹部において、ケーシングの中心軸に近付くほど深さが深くなる部分から出た音波は、ケーシングの中心軸に近付く方向に進む。そのため、底部から出た音が、床とケーシングの底部との間の空間から出て行くのを抑制できる。
【００２３】
第３の発明では、底部の中央部に凹部が形成されているため、凹部は、ケーシングの中心軸から離れるほど深さが深くなる部分を有しない。そのため、底部から出た音が、床とケーシングの底部との間の空間から出て行くのをより確実に抑制できる。
【００２４】
第４の発明では、底部全体に凹部が形成されているため、凹部は、ケーシングの中心軸から離れるほど深さが深くなる部分を有しない。そのため、底部から出た音が、床とケーシングの底部との間の空間から出て行くのをより確実に抑制できる。
【００２５】
第５の発明では、凹部が環状であるため、この環状凹部の外径と同じ大きさの円形状の凹部を設ける場合に比べて、ケーシングの容積を大きくできる。
【００２６】
第６の発明では、最も外側の環状凹部の外径と同じ大きさの円形状の凹部を設ける場合に比べて、ケーシングの容積を大きくできる。
【００２７】
第７の発明では、凹部の少なくとも一部が曲線で構成されるため、同じ大きさの凹部を直線だけで形成する場合に比べて、ケーシングの部材量を低減できる。
【図面の簡単な説明】
【００２８】
【図１】本発明の第１実施形態に係る圧縮機を設置した状態を示す断面図である。
【図２】本発明の第２実施形態に係る圧縮機を設置した状態を示す断面図である。
【図３】本発明の他の実施形態に係る圧縮機の部分断面図である。
【図４】本発明の他の実施形態に係る圧縮機の部分断面図である。
【００２９】
＜第１実施形態＞
以下、本発明の第１実施形態について説明する。
本実施形態の圧縮機１は、空気調和機の室外機に備えられている。圧縮機１は、室外機のケーシングの底板１００に、ゴム部材１０１と連結板１０２を介して設置されており、圧縮機１の底部は底板１００から離れている。圧縮機１の振動が連結板１０２を介してゴム部材１０１に伝達されると、ゴム部材１０１が弾性変形することで振動が減衰するため、圧縮機１の振動が底板１００に伝わるのを抑制できる。
【００３０】
圧縮機１のケーシング２は、両端部が閉塞された円筒状に形成されている。図示は省略するが、ケーシング２の内部には、モータやシリンダ等（図示省略）が収容されている。ケーシング２は、筒軸方向が上下方向となるように設置されている。
【００３１】
ケーシング２の底部２ａには、ケーシング２の外側から見て凹状の凹部３が形成されている。凹部３は、底部２ａ全体に形成されている。凹部３の断面形状は、円弧状であって、ケーシング２の中心軸Ｃを中心として左右対称である。したがって、凹部３は、中心軸Ｃに近付くほど深さが深くなっている。
【００３２】
本実施形態の圧縮機１では、ケーシング２の底部２ａに凹部３が形成されているため、この凹部３から出た音波（圧縮機１の運転音）は、中心軸Ｃに近付く方向に進む。そのため、底部２ａから出た音波が、底板１００と底部２ａとの間で反射を繰り返した後、底板１００と底部２ａとの間の空間から出て行くのを抑制できる。したがって、底部２ａから出た音波を、底板１００と底部２ａとの間で繰り返し反射させて減衰させることができ、圧縮機１による騒音を低減できる。
【００３３】
また、本実施形態では、底部２ａ全体に凹部３が形成されているため、凹部３は全体にわたって中心軸Ｃに近付くほど深さが深くなっており、中心軸Ｃから離れるほど深さが深くなる部分を有しない。中心軸Ｃに近付くほど深さが深くなる部分から出た音波は、中心軸Ｃに近付く方向に進むため、底部２ａから出た音が、底板１００と底部２ａとの間の空間から出て行くのをより確実に抑制できる。
【００３４】
また、凹部３は曲線で構成されているため、同じ大きさの凹部を直線だけで形成する場合に比べて、ケーシング２の部材量を低減できる。
【００３５】
＜第２実施形態＞
次に、本発明の第２実施形態について説明する。なお、前記第１実施形態と同様の構成を有するものについては、同じ符号を用いて適宜その説明を省略する。
【００３６】
本実施形態の圧縮機２０１は、第１実施形態と同様に、室外機のケーシングの底板１００に、ゴム部材１０１と連結板１０２を介して設置される。
【００３７】
圧縮機２０１のケーシング２０２は、両端部が閉塞された円筒状に形成されており、筒軸方向が上下方向となるように設置されている。ケーシング２０２の底部２０２ａには、環状凹部２０３と、環状凹部２０３の内側に配置された凹部２０４とが形成されている。
【００３８】
環状凹部２０３は、ケーシング２０２の中心軸Ｃを中心として環状に形成されており、その断面形状は全周にわたって一定である。環状凹部２０３の外周端は、底部２０２ａの外周端の位置に形成されている。環状凹部２０３は、中心軸Ｃに近付くほど深さが深くなっている部分２０３ａ（以下、第１部分２０３ａという）と、中心軸Ｃとほぼ平行な部分２０３ｂ（以下、第２部分２０３ｂという）とで構成されている。第１部分２０３ａは、断面円弧状に形成されている。第２部分２０３ｂは、環状凹部２０３の内周端から離れるほど、中心軸Ｃに近付くように、中心軸Ｃに対して若干傾斜している。
【００３９】
凹部２０４は、底部２０２ａの中央部に形成されている。凹部３の断面形状は、円弧状であって、中心軸Ｃを中心として左右対称である。凹部２０４は、中心軸Ｃに近付くほど深さが深くなっている。
【００４０】
本実施形態の圧縮機２０１では、ケーシング２０２の底部２０２ａに形成された環状凹部２０３の第１部分２０３ａおよび凹部２０４が、中心軸Ｃに近付くほど深さが深くなっているため、環状凹部２０３の第１部分２０３ａおよび凹部２０４から出た音波は、中心軸Ｃに近付く方向に進む。そのため、底部２０２ａから出た音波が、底板１００と底部２０２ａとの間で反射を繰り返した後、底板１００と底部２０２ａとの間の空間から出て行くのを抑制できる。したがって、底部２０２ａから出た音波を、底板１００と底部２０２ａとの間で繰り返し反射させて減衰させることができ、圧縮機２０１による騒音を低減できる。
【００４１】
また、本実施形態では、環状凹部２０３の内側に凹部２０４が配置されているため、環状凹部２０３と凹部２０４との間には、ケーシング２０２の外側から見て凸状の部分が存在する。また、凹部２０４の深さは、環状凹部２０３の深さよりも浅くすることができる。そのため、環状凹部２０３の外径と同じ大きさの円形状の凹部を設ける場合に比べて、ケーシング２０２の容積を大きくできる。
【００４２】
また、凹部２０４および環状凹部２０３は曲線で構成されているため、同じ大きさの凹部および環状凹部を直線だけで形成する場合に比べて、ケーシング２０２の部材量を低減できる。
【００４３】
以上、本発明の実施の形態について説明したが、本発明の具体的な構成は、上記第１および第２実施形態に限定されるものでないと考えられるべきである。本発明の範囲は、上記実施形態の説明だけではなく特許請求の範囲によって示され、さらに特許請求の範囲と均等の意味および範囲内でのすべての変更が含まれる。
【００４４】
上記第１および第２実施形態では、凹部３、２０４は、全体が、中心軸Ｃに近付くほど深さが深くなっているが、凹部は、少なくとも一部が、中心軸Ｃに近付くほど深さが深くなっていればよい。例えば図３（ａ）に示す凹部３０３のように、凹部３０３の中央部が、中心軸Ｃに直交していてもよい。
【００４５】
上記第２実施形態では、環状凹部２０３の第２部分２０３ｂは、環状凹部２０３の内周縁から離れるほど、中心軸Ｃに近付くように、中心軸Ｃに対して若干傾斜しているが、第２部分２０３ｂは、中心軸Ｃと完全に平行であってもよく、中心軸Ｃに対して上記第２実施形態と逆方向に傾斜していてもよい。
【００４６】
また、上記第２実施形態では、環状凹部２０３は、中心軸Ｃに近付くほど深さが深くなっている第１部分２０３ａと、中心軸Ｃとほぼ平行な第２部分２０３ｂとで構成されているが、環状凹部は、少なくとも一部が、中心軸Ｃに近付くほど深さが深くなっていればよい。例えば、中心軸Ｃに近付くほど深さが深くなっている部分と、中心軸Ｃとほぼ平行な部分との間に、中心軸Ｃに垂直な部分とを有する環状凹部であってもよい。
【００４７】
上記第１および第２実施形態では、凹部（凹部３、環状凹部２０３、凹部２０４）は、曲線のみで構成されているが、例えば図３（ａ）に示す凹部３０３のように、曲線と直線で構成されていてもよい。また、例えば図３（ｂ）に示す凹部４０３や図３（ｃ）に示す凹部５０３のように、直線のみで構成されていてもよい。
【００４８】
上記第１および第２実施形態では、凹部３および環状凹部２０３の外周端は、底部２ａ、２０２ａの外周端の位置にあるが、底部２ａ、２０２ａの外周端よりも内側にあってもよい。この場合、凹部３（環状凹部２０３）の外周端と底部２ａ（２０２ａ）の外周端との間の部分は、中心軸Ｃに対して垂直であってもよく、中心軸Ｃに近付くほど底板１００から離れるようにまたは底板１００に近付くように傾斜していてもよい。いずれの構成であっても、ケーシングの底部全体が外側に膨らんだ構成の従来の圧縮機に比べて騒音を低減できるが、騒音を最も低減するには、凹部の外周端とケーシングの底部の外周端との間の部分は、中心軸Ｃに近付くほど底板１００から離れるように傾斜していることが好ましい。
【００４９】
上記第２実施形態では、凹部２０４の外周端は、環状凹部２０３の内周端の位置あるが、環状凹部２０３の内周端よりも内側にあってもよい。この場合、凹部２０４の外周端と環状凹部２０３の内周端との間の部分は、中心軸Ｃに対して垂直であってもよく、中心軸Ｃに近付くほど底板１００から離れるようにまたは底板１００に近付くように傾斜していてもよい。いずれの構成であっても、ケーシングの底部全体が外側に膨らんだ構成の従来の圧縮機に比べて騒音を低減できるが、騒音を最も低減するには、凹部２０４の外周端と環状凹部２０３の内周端との間の部分は、中心軸Ｃに近付くほど底板１００から離れるように傾斜していることが好ましい。
【００５０】
上記第２実施形態では、ケーシング２０２の底部２０２ａには、環状凹部２０３と凹部２０４が形成されているが、例えば図４（ａ）に示すように、環状凹部２０３のみを形成してもよい。図４（ａ）では、環状凹部２０３の内側の部分は、中心軸Ｃに垂直に形成されているが、外側に膨らんだ円弧状であってもよい。また例えば図４（ｂ）に示すように、環状凹部６０３の内側に、環状凹部６０４のみを形成してもよい。また例えば図４（ｃ）に示すように、環状凹部７０３の内側に環状凹部７０４を形成し、この環状凹部７０４の内側に円形状の凹部７０５を形成してもよい。
【００５１】
上記第１および第２実施形態では、ケーシング２、２０２は、円筒状であるが、四角筒状または六角筒状などの多角形状の筒状であってもよい。この場合、軸方向から見た凹部３、２０４の形状は、円形状であってもよく、ケーシングと相似する多角形状であってもよい。また、軸方向から見た環状凹部２０３の内周形状および外周形状についても同様に、円形状であっても多角形状であってもよい。
【産業上の利用可能性】
【００５２】
本発明を利用すれば、圧縮機の騒音を低減できる。
【符号の説明】
【００５３】
１、２０１  圧縮機
２、２０２  ケーシング
２ａ、２０２ａ  底部
３、２０４、３０３、４０３、５０３、７０５  凹部
２０３、６０３、６０４、７０３、７０４  環状凹部
２０３ａ  第１部分
２０３ｂ  第２部分
１００  底板
【図１】
2014102018.tif 000003
【図２】
2014102018.tif 000004
【図３】
2014102018.tif 000005
【図４】
2014102018.tif 000006